(57)【要約】【課題】簡単な構成で宝石などの固形物を搖動することで不思議なゆらゆらとした美しいものを感じることができる装飾物及びそれを用いた装飾具を提供する。【解決手段】装飾物１０は、空洞Ｋを有する中空の金属で形成されている第１の半球状体１１ａ、ガラスなどの透明な部材で形成されている第２の半球状体１１ｂ、及び宝石などの固形物１２から構成されている。第１の半球状体１１ａと第２の半球状体１１ｂは、空洞Ｋに固形物１２が配置された状態で一体的な球状体１１となるように形成されている。装飾物１０は、揺れ、例えば身体の揺れに応じて固形物１２が、不思議なゆらゆらとしたものとして、第２の半球状体１１ｂを介して視覚に感じるように構成されている。【選択図】図２
0003211270.tif 000002
【実用新案登録請求の範囲】
【請求項１】
美的要素を有する装飾物であって、
空洞を有する中空の第１の半球状体と、透明な部材で形成されている第２の半球状体と、固形物と、を有し、
前記空洞に前記固形物が配置され、前記第１の半球状体と前記第２の半球状体は、前記空洞に前記固形物が配置された状態で一体的な球状体となるように形成されており、
揺れに応じて前記固形物が、不思議なゆらゆらとしたものとして、レンズとしての機能を有する前記第２の半球状体を介して視覚に感じるように構成されていることを特徴とする装飾物。
【請求項２】
前記第１の半球状体は金属で形成されており、前記第２の半球状体の透明な部材はガラスまたはプラスティックであり、前記固形物は、宝石、人造宝石、真珠、人造パールまたは球体の物であることを特徴とする請求項１に記載の装飾物。
【請求項３】
請求項１または請求項２に記載の装飾物と、支持部と、を有し、
前記装飾物と前記支持部が一体的になるように形成されていることを特徴とする装飾具。
【請求項４】
前記支持部がアームとして形成されている指輪であり、または前記支持部がピン及びキャッチとして形成されているピアスであることを特徴とする請求項３に記載の装飾具。
【考案の詳細な説明】
【技術分野】
【０００１】
本考案は、装飾物及び装飾具に関する。
【背景技術】
【０００２】
美しい外観を有する固形物である宝石、人造宝石などを取り付けた指輪、ピアスなどの装飾具が普及しており、例えば宝石の石座と台座を、コイルばねを用いて連結したものが開示されている（特許文献１参照）。
【先行技術文献】
【特許文献】
【０００３】
【特許文献１】特開２０１０−０４６２１８号公報
【考案の概要】
【考案が解決しようとする課題】
【０００４】
しかし、例えば上記の装飾具は、構成は複雑で動きも不自然であり簡易な構成でより美しさを感じるものが求められていた。
【０００５】
本考案は、こうした点に鑑みてなされたものであり、簡単な構成で宝石などの固形物を搖動することで不思議なゆらゆらとした美しいものを感じることができるように形成された装飾物及びそれを用いた装飾具を提供することである。
【課題を解決するための手段】
【０００６】
上記課題を解決するために、本考案に係る装飾物は、美的要素を有する装飾物であって、空洞を有する中空の第１の半球状体と、透明な部材で形成されている第２の半球状体と、固形物と、を有し、前記空洞に前記固形物が配置され、前記第１の半球状体と前記第２の半球状体は、前記空洞に前記固形物が配置された状態で一体的な球状体となるように形成されており、前記身体の揺れに応じて前記固形物が、不思議なゆらゆらとしたものとして、レンズとしての機能を有する前記第２の半球状体を介して視覚に感じるように構成されていることを特徴とする。
【０００７】
本考案に係る装飾物の態様について、前記第１の半球状体は金属で形成されており、前記第２の半球状体の透明な部材はガラスまたはプラスティックであり、前記固形物は、宝石、人造宝石、真珠、人造パールまたは球体の物であることが好ましい。
【０００８】
上記課題を解決するために、本考案に係る装飾具は、上記の装飾物と、支持部と、を有し、前記装飾物と前記支持部が一体的になるように形成されていることを特徴とする。
【０００９】
本考案に係る装飾具の態様について、前記支持部がアームとして形成されている指輪であり、または前記支持部がピン及びキャッチとして形成されているピアスであることが好ましい。
【考案の効果】
【００１０】
本考案によれば、簡単な構成で宝石などの固形物を搖動することで不思議なゆらゆらとした美しいものを感じることができるように形成された装飾物及びそれを用いた装飾具を提供することができる。
【図面の簡単な説明】
【００１１】
【図１】実施形態の装飾具の一例としての指輪を示す参考図である。
【図２】実施形態の装飾物の上面及び正面の一例を示す模式図である。
【図３】実施形態の装飾物を説明する参考図である。
【考案を実施するための形態】
【００１２】
以下、本考案の装飾物及びそれを用いた装飾具を図１から図３を用いて説明する。なお、実施形態の指輪１は、装飾具の一例であるが、これに限定されず、装飾具は、ピアス、イヤリング、ネクタイピン、ペンダントなどであってもよい。
【００１３】
図１は、実施形態の指輪１を示す参考図である。図１に示すように指輪１は、装飾物の一例である装飾物１０と、支持部としてのアーム１ａを有しており、これらが一体的に形成されているものである。なお、装飾具の他の例としては、装飾物１０と、支持部としてのピン及びキャッチを有し、これらが一体的に形成されているピアスなどがある。
【００１４】
次に、実施形態の装飾物１０について図２及び図３を用いて説明する。図２は装飾物１０の上面及び正面を示す模式図であり、図２(ａ)は上面図、図２（ｂ）は正面図である。図３は装飾物１０の各構成を説明する参考図である。
【００１５】
装飾物１０は、美的要素を有するものであり、例えば身体を飾るためのものである。装飾物１０は、上記のとおり指輪、ピアスなどの装飾具に用いられる。
【００１６】
装飾物１０は、空洞Ｋを有する中空の第１の半球状体１１ａ、透明な部材で形成されている第２の半球状体１１ｂ、及び固形物１２から構成されている。
【００１７】
第１の半球状体１１ａは、金、プラチナ、銀、真鍮、ステンレスなどの金属で形成されているが、これに限定されず、例えば硬質の樹脂などで形成されてもよい。第２の半球状体１１ｂの透明な部材は、ガラス、プラスティックであるが、これに限定されず適宜最適な部材を選択してもよい。また、固形物１２は、宝石、人造宝石、真珠、人造パール、球体の物であるが、これに限定されず適宜最適なものを選択してもよい。
【００１８】
上記の構成を有する装飾物１０は、図２及び図３に示すように、第１の半球状体１１ａの空洞Ｋに、固形物１２が配置されている。第１の半球状体１１ａと第２の半球状体１１ｂは、空洞Ｋに固形物１２が配置された状態で一体的な球状体１１となるように形成されている。
【００１９】
すなわち、図３に示すように、ダイヤモンド、人造宝石、真珠、人造パール、球体の物などの固形物１２が、半球状の金属パーツなどで形成されている第１の半球状体１１ａの内部に配置される。
【００２０】
固形物１２の大きさは、この例において直径または最大の幅が、第１の半球状体１１ａの半径より小さければよく、この範囲内で適宜最適な大きさにすればよい。
【００２１】
このような固形物１２が内部に配置されている第１の半球状体１１ａと、半球状のガラスまたは透明なもので形成されている第２の半球状体１１ｂのそれぞれの端部が接着され固着されることで球状体１１となる。そして図２に示すように、この球状体１１と、空洞Ｋに配置されている固形物１２を構成とする装飾物１０が形成される。なお、上記の固着は種々の方法があるが詳細は省略する。
【００２２】
上記のような構成を有する装飾物１０は、揺れ、例えば身体の揺れに応じて固形物１２が、不思議なゆらゆらとしたものとして、第２の半球状体１１ｂを介して視覚に感じるように構成されている。
【００２３】
すなわち、装飾物１０は、第２の半球状体１１ｂが、レンズとしての機能を有していることにより、簡単な構成で宝石などの固形物を搖動することで不思議なゆらゆらとした美しいものとして感じることができ、さらに光輝きここちよい美感を発することができる。
【００２４】
なお、上記の第２の半球状体１１ｂは、中空を有していない構成であるが、これに限定されず、例えば第２の半球状体１１ｂは、レンズとしての機能を有するものであれば適宜中空を有するものであってもよい。
【００２５】
以上、本考案の有する特徴及び優れた点を上記実施形態に記載したが、本考案は、本願の実用新案登録請求の範囲で使用されている言葉を広く一般的な意味に拡張して実施することができる。
【００２６】
また、本考案の装飾物及び装飾具は、大きさや形状、素材の種類、厚さ、重さなどについては多様な実施形態が可能であり、それらについて本実施形態と異なる形態による実施は、本考案の技術的範囲に含まれる。
【符号の説明】
【００２７】
１      指輪
１ａ    アーム
１０    装飾物
１１    球状体
１１ａ  第１の半球状体
１１ｂ  第２の半球状体
１２    固形物
Ｋ      空洞
【図１】
0003211270.tif 000003
【図２】
0003211270.tif 000004
【図３】
0003211270.tif 000005